(57)【要約】【課題】結婚式などの儀式に華やかさを醸し出すとともに、その華やかさを長続きさせることのできるクラッカーおよび大型クラッカーが望まれている。【解決手段】クラッカー１は、噴出用開口２Ｄを有する筒状本体２の内部に、引き紐７の引っ張り操作で爆発する火薬体６と、該火薬体６の爆発により噴出用開口２Ｄから噴き出される噴出体１３としての折り鶴８と、を収容して成るものである。折り鶴８は、翼８Ａ，８Ａを広げた形態で筒状本体２内に収容されている。大型クラッカーは、複数個のクラッカー１，１，１，・・・と、これら複数個のクラッカー１，１，１，・・・を保持する保持部材と、複数個のクラッカーおよび保持部材を収容する大筒本体と、複数個のクラッカー１，１，１，・・・の全ての引き紐７，７，７，・・・と連結された纏め紐と、を備えて成るものである。【選択図】図１
0003192989.tif 000002
【実用新案登録請求の範囲】
【請求項１】
噴出用開口を有する筒状本体の内部に、引き紐の引っ張り操作で爆発する火薬体と、該火薬体の爆発により噴出用開口から噴き出される噴出体としての折り鶴と、を収容して成ることを特徴とするクラッカー。
【請求項２】
前記折り鶴が、翼を広げた形態で筒状本体内に収容されていることを特徴とする請求項１に記載のクラッカー。
【請求項３】
請求項１または請求項２に記載の複数個のクラッカーと、前記複数個のクラッカーを保持する保持部材と、前記複数個のクラッカーおよび前記保持部材を収容する大筒本体と、前記複数個のクラッカーの全ての引き紐と連結された纏め紐と、を備えて成ることを特徴とする大型クラッカー。
【考案の詳細な説明】
【技術分野】
【０００１】
本考案は、結婚式などの儀式で華やかさを醸し出すためのクラッカーおよび複数個のクラッカーを用いた大型クラッカーに関するものである。
【背景技術】
【０００２】
従来、結婚式などでは、豊穣および子孫繁栄を願うために米粒を新郎新婦に降りかけるライスシャワーや、新郎新婦を引立てて華やかさを醸し出すために生花の花びらを降りかけるフラワーシャワー、あるいはシャボン玉シャワーなどの演出が行なわれている。そのうちのフラワーシャワーでは、花びらが水分を含んでいるために速く落下して滞空時間が短いことから、華やかさが長続きしないという難点がある。シャボン玉シャワーでは、はじけた後に生じた液滴で会場の床が濡れてしまい後始末が大変である。一方、ライスシャワーでは精白米が用いられるが、直ちに落下してしまうし、白色であるために見た目が煌びやかでない。
そこで、下記の特許文献１に示されるような、適宜色に着色した儀式用米の使用が提案されている。この儀式用米を使用すると、儀式に彩りが添えられ華やかさが演出されるとされている。
【先行技術文献】
【特許文献】
【０００３】
【特許文献１】特開２００２−６２０９６号公報
【考案の概要】
【考案が解決しようとする課題】
【０００４】
しかしながら、前記した儀式用米であっても、嵩密度が比較的大きいために落下が速く滞空時間が短いので華やかさが長続きしないこと、食材であるために勿体無さを感じさせること、多数の小粒であることから事後の掃除作業が大変であることという不具合があった。
【０００５】
本考案は、上記した従来の問題点に鑑みてなされたものであって、結婚式などの儀式に華やかさを醸し出すとともに、その華やかさを長続きさせることのできるクラッカーおよび大型クラッカーの提供を目的とする。
【課題を解決するための手段】
【０００６】
上記目的を達成するために、本考案に係るクラッカーは、噴出用開口を有する筒状本体の内部に、引き紐の引っ張り操作で爆発する火薬体と、該火薬体の爆発により噴出用開口から噴き出される噴出体としての折り鶴と、を収容して成る
構成にしてある。
【０００７】
また、前記構成において、折り鶴が翼を広げた形態で筒状本体内に収容されているものである。
【０００８】
そして、本考案に係る大型クラッカーは、請求項１または請求項２に記載の複数個のクラッカーと、複数個のクラッカーを保持する保持部材と、複数個のクラッカーおよび保持部材を収容する大筒本体と、複数個のクラッカーの全ての引き紐と連結された纏め紐と、を備えて成る構成にしてある。
【考案の効果】
【０００９】
本考案に係るクラッカーによれば、火薬体の爆発により筒状本体の噴出用開口から噴き出される噴出体として、折り鶴が筒状本体内に収容されているので、引き紐が引かれると、噴出用開口から折り鶴が噴き出される。折り鶴の形態は、一般的に、美しさと長寿祈願と縁起良さを想起させるとされており、結婚式などの儀式で華やかさを醸し出すのに好適である。また、折紙で折られている折り鶴は嵩密度が大きすぎず小さくもなく噴出動作および滞空動作に適しているので、円滑に噴き出されるうえ着地までに時間がかかる。そのために、華やいだ雰囲気を長時間保持することができる。加えて、事後の後始末も楽であり短時間で済むという利点がある。
【００１０】
また、折り鶴が翼を広げた形態で筒状本体内に収容されているものでは、噴出用開口からの噴き出された後に、広げた翼の作用により空中をゆっくりと降下していくため、比較的長時間滞空できる。これにより、よりいっそう長時間、華やいだ雰囲気を保持することができる。
【００１１】
そして、本考案に係る大型クラッカーによれば、複数個のクラッカーが大筒本体内に保持され、保持された複数個のクラッカーの全ての引き紐が纏め紐に連結されているので、利用者が纏め紐を引くことにより全ての引き紐が同時に引かれて複数個のクラッカーから噴出物がほぼ同時に噴き出される。従って、噴出物に含まれている折り鶴も大量に噴き出されるから、雅やかさを最大限に醸し出すことができる。
【図面の簡単な説明】
【００１２】
【図１】本考案の一実施形態に係るクラッカーを示す側断面図である。
【図２】前記クラッカーの筒状本体から噴出物を噴出させた動作を示す動作説明図である。
【図３】前記クラッカーを用いて結婚式を盛り上げている状態を示す状態説明図である。
【図４】本考案の別の実施形態に係るクラッカーを示す側断面図である。
【図５】本考案の他の実施形態に係る大型クラッカーを示す図であって、（ａ）は側断面図、（ｂ）は平面図である。
【考案を実施するための形態】
【００１３】
本考案の実施形態を図面に基づいて説明する。尚、以下に述べる実施形態は本考案を具体化した一例に過ぎず、本考案の技術的範囲を限定するものでない。図１は本考案の一実施形態に係るクラッカーを示す側断面図である。
図において、この実施形態に係るクラッカー１は、上向きに拡径した略円錐筒状に形成された筒状本体２と、筒状本体２内に収容された火薬体６および噴出体１３と、を備えて構成されている。
【００１４】
前記の筒状本体２は巻紙などを用いて比較的強固に形成されている。筒状本体２の上端部２Ａには、噴出体１３を噴き出すための噴出用開口２Ｄが形成されており、この噴出用開口２Ｄは蓋板１０で蓋われている。筒状本体２の内部は、比較的強固な紙板製の受圧板３と、この受圧板３よりも上方に配置された仕切板４とにより区画されている。火薬体６は受圧板３の上面に固定されている。火薬体６内には引き紐７が装入されており、火薬体６は引き紐７の引っ張り操作で燃焼して爆発するようになっている。前記の引き紐７は火薬体６の底面から延出しており、受圧板３の紐通し穴３Ａと、筒状本体２の下端部２Ｂの紐通し穴２Ｃを通されて下方に取り出されている。受圧板３と仕切板４との間は、火薬体６を収容する火薬室５と成っている。前記の仕切板４は、火薬体６の爆発により破れ得る紙材などで構成されている。仕切板４と蓋板１０との間は、火薬体６の爆発により噴出用開口２Ｄから噴き出される噴出体１３を収容する噴出体室１１と成っている。前記の蓋板１０も、火薬体６の爆発により破れ得る紙材などで構成されている。
【００１５】
前記の噴出体室１１に収容される噴出体１３としては、特に限定されないが、例えば紙吹雪片９、テープ片１２、および折り鶴８などが挙げられる。紙吹雪片９は、例えば各色の折紙を細かく切り刻んだものが用いられる。テープ片１２はコイル状に巻いておいたものでもよく、テープ面にお祝いメッセージなどが記載されている。そうして、折り鶴８は各色の折紙、複数色の折紙、多種の模様の折紙で折られて作成されている。この場合、錦織模様の折紙で折られた折り鶴８も含めておくとよい。更に、折り鶴８としては、翼８Ａ，８Ａを左右に広げた形態にされたものも多数含まれている。
【００１６】
続いて、上記のように構成されたクラッカー１の作用を説明する。噴出体１３を噴出させる際に、利用者Ｍは、図２に示されるように、噴出用開口２Ｄを上向きにした筒状本体２の外周面を一方の手Ｈで持ち、他方の手Ｈで引き紐７を持つ。そして、引き紐７を下向きに引くと、火薬体６が燃焼して爆発する。火薬体６からの爆風により、仕切板４および蓋板１０が破断して噴出用開口２Ｄが開かれ、噴出体１３である紙吹雪片９，テープ片１２、および折り鶴８が上方に高く飛ばされる。
【００１７】
このように作用するクラッカー１は、図３に示されるように、例えば教会で結婚式を終えた新郎新婦を祝うために用いられる。この場合も、クラッカー１から噴き出された噴出体１３中の折り鶴８，８，８，・・・が空に舞いゆっくりと降下してくるのである。これらの折り鶴８，８，８，・・・は色とりどりで模様も様々であり、彩りを添え華やかさを醸し出す。特に、錦織模様の折り鶴８は煌びやかな趣を呈して、よりいっそうの華やかさをもたらす。
【００１８】
上記したように、クラッカー１によれば、噴出用開口２Ｄから噴き出された折り鶴８は、結婚式などの儀式に華やかさを醸し出すことができる。また、折紙で折られた折り鶴８は噴出動作および滞空動作に適しているので、円滑に噴き出されたのちは着地までに時間を稼げるから、華やいだ雰囲気を長時間保持できる。特に、翼８Ａ，８Ａを広げた折り鶴８は空中を悠々と降下していくために長時間滞空でき、よりいっそう長い時間、華やいだ雰囲気を保持することができる。また、後始末も楽で短時間で済んだ。すなわち、このクラッカー１により、今までになかった好適な「折り鶴シャワー」を実現できたのである。
【００１９】
尚、上記した実施形態のクラッカー１では、仕切板４を介して筒状本体２内を火薬室５と噴出体室１１とに区画したものを例示したが、本考案のクラッカーはそれに限定されるものでない。例えば、図４に示すように、仕切板４を省略したクラッカー１ａも本考案に含まれる。このクラッカー１ａでは、噴出体１３が火薬体６の上方に直に配置される。
前記した構成のクラッカー１ａによれば、火薬体６の爆発力は、仕切板４の破断に費やされることがなく、しかも噴出体１３に直に作用するため、前述のクラッカー１よりも噴出体１３を高くかつ遠くまで飛ばせるという利点がある。尚、火薬体６の火炎が噴出体１３に直に当たるため、クラッカー１ａの噴出体１３の素材としては、燃えにくいものを採用することが望ましい。
【００２０】
そして、上記では、１個のクラッカー１，１ａを用いた例を示したが、本考案はそれらに限定されない。例えば、図５に示すような大型クラッカー２０も、本考案に含まれる。この大型クラッカー２０では、既述したクラッカー１が複数個使用されている。すなわち、大型クラッカー２０は、上向きに拡径した頭無し円錐筒状に形成された大筒本体２１と、大筒本体２１内に収容された複数個のクラッカー１，１，１，・・・と、複数個のクラッカー１，１，１，・・・を保持する保持部材２６とを備えている。
【００２１】
前記の大筒本体２１は巻紙でバーレル形状に形成されていて比較的軽量で堅固である。大筒本体２１の上面開口は、噴出体１３を噴き出すための噴出用開口２１Ａと成っている。大筒本体２１の下面開口は底板２４で蓋止されている。大筒本体２１の内壁には、円筒ブロック状の外側保持体２２が収容されて固定されている。外側保持体２２は平面中央部に上下貫通した貫通孔を有している。この貫通孔の内周面２２Ａは上向きに拡径したテーパ状に形成されている。そして、外側保持体２２の貫通孔内に、円柱状の内側保持体２３が配備される。この内側保持体２３は、外側保持体２２の下面から貫通孔内に延びる複数の受け部２２Ｂ，２２Ｂ，２２Ｂ上に載置され支持されている。これにより、内側保持体２３の外周面２３Ａと外側保持体２２の内周面２２Ａとの間に、複数個のクラッカー１，１，１，・・・を並べて保持するための保持用空間２５が形成される。すなわち、外側保持体２２と内側保持体２３とから、複数個のクラッカー１，１，１，・・・を大筒本体２１内で保持する保持部材２６が構成される。そして、複数個のクラッカー１，１，１，・・・の全ての引き紐７，７，７，・・・は纏め紐１４と連結される。纏め紐１４の先端部は、底板２４の紐通し穴２４Ａを通されて外部に出されている。
【００２２】
この大型クラッカー２０の使用にあたっては、バーレル状の大筒本体２１が腕に抱えて持たれ、他方の手で纏め紐１４が引かれる。すると、全ての引き紐７，７，７，・・・がほぼ同時に引かれる。これにより、全てのクラッカー１，１，１，・・・の火薬体６，６，６，・・・が爆発して、噴出用開口２Ｄ，２Ｄ，２Ｄ，・・・から大量の噴出体１３が噴き出されるのである。
従って、この大型クラッカー２０によれば、一度に大量の噴出物１３，１３，１３，・・・が噴き出すことができる。これにより、各噴出物１３に含まれている折り鶴８，８，８，・・・も大量に噴き出されるから、華やかさを最大限に醸し出すことができる。
【００２３】
尚、図５に示した大型クラッカー２０では、個々のクラッカーとして図１のクラッカー１を用いた例を示したが、本考案の大型クラッカーはそれに限らない。例えば、大型クラッカーに、図４のクラッカー１ａのみを複数用いてもよいし、クラッカー１ａとクラッカー１を混在させても構わない。
【００２４】
また、上記では、上向きに拡開した円錐筒状の筒状本体２を有するクラッカー１，１ａを例示したが、本考案に係るクラッカーの筒状本体はそれらの形状に限られない。筒心方向において筒径が均一な円筒状の筒状本体を有するクラッカーであってもよく、あるいは角筒状の筒状本体を有するクラッカーであっても構わない。
【００２５】
更には、本考案に係る大型クラッカーの大筒本体の形状も、上向きに拡径した頭無し円錐筒状の大筒本体２１の形状に限られない。そして、本考案に係る大型クラッカーの保持部材としては、大筒本体内で複数個のクラッカーを保持できる構成であれば特に限定されず、外側保持体２２および内側保持体２３から成る保持部材２６以外の構成であっても採用可能である。
【００２６】
また、上記では結婚式で使用した例を示したが、本考案に係るクラッカーおよび大型クラッカーはそれに限定されない。例えば、誕生パーティなど各種の祝賀会にも好適に使用できることは言うまでもない。
【符号の説明】
【００２７】
１，１ａ  クラッカー
２    筒状本体
２Ｄ  噴出用開口
６    火薬体
７    引き紐
８    折り鶴
８Ａ  翼
１３  噴出体
１４  纏め紐
２０  大型クラッカー
２１  大筒本体
２２  外側保持体
２２Ａ  内周面
２２Ｂ  受け部
２３  内側保持体
２６  保持部材
【図１】
0003192989.tif 000003
【図２】
0003192989.tif 000004
【図３】
0003192989.tif 000005
【図４】
0003192989.tif 000006
【図５】
0003192989.tif 000007